(57)【要約】【課題】  脱着が容易であり、使用中は外れ難く、持ち運びに便利であり、且つ経済的な布団カバーを提供すること。【解決手段】  二層からなる長方形の不織布製布団カバーであって、当該二層は長方形の四辺で接触しており、一方の層は全面シートで構成されており、且つ、他方の層は、当該全面シートの外周部上に位置し、全面シートと共に、布団の左右端部を挿入するための５乃至４０ｃｍ幅の二つの横ポケットを構成する部分、布団の上端部を挿入するための１０乃至５０ｃｍ幅の上ポケットを構成する部分及び布団の下端部を挿入するための１０乃至５０ｃｍ幅の下ポケットを構成する部分を備えており、横ポケット各々は、上ポケット及び下ポケットと連通しており、前記不織布は、坪量が１０ｇ／ｍ２乃至８０ｇ／ｍ２のものである不織布製布団カバーを用いる。【選択図】  図１
2005110890.tif 000002
【特許請求の範囲】
【請求項１】
二層からなる長方形の不織布製布団カバーであって、当該二層は長方形の四辺で接触しており、一方の層は全面シートで構成されており、且つ、他方の層は、当該全面シートの外周部上に位置し、全面シートと共に、布団の左右端部を挿入するための５乃至４０ｃｍ幅の二つの横ポケットを構成する部分、布団の上端部を挿入するための１０乃至５０ｃｍ幅の上ポケットを構成する部分及び布団の下端部を挿入するための１０乃至５０ｃｍ幅の下ポケットを構成する部分を備えており、横ポケット各々は、上ポケット及び下ポケットと連通しており、前記不織布は、坪量が１０ｇ／ｍ２乃至８０ｇ／ｍ２のものであることを特徴とする不織布製布団カバー。
【請求項２】
二層からなる長方形の不織布製布団カバーであって、当該二層は長方形の四辺の中、一つの短辺及び二つの長辺で接触しており、一方の面は全面シートで構成されており、且つ、他方の層は、当該全面シートの外周部上に位置し、全面シートと共に、布団の左右端部を挿入するための５乃至４０ｃｍ幅の二つの横ポケットを構成する部分と、布団の上端部又は下端部を挿入するための１０乃至５０ｃｍ幅の天地ポケットを構成する部分とを備えており、天地ポケットは、二つの横ポケットと連通しており、前記不織布は、坪量が１０ｇ／ｍ２乃至８０ｇ／ｍ２のものであることを特徴とする不織布製布団カバー。
【請求項３】
中央に位置する中央長方形部分と、中央長方形部分の各辺から外方に向って各辺に平行に延長して形成された上長方形又は台形部分、下長方形又は台形部分及び二つの横長方形又は台形部分とを備える不織布製布団カバーであって、１）上長方形又は台形部分の左右部及び下長方形又は台形部分の左右部に、又は、２）横長方形又は台形部分それぞれの上端部及び下端部に、粘着部分が形成されており、前記不織布は、坪量が１０ｇ／ｍ２乃至８０ｇ／ｍ２のものであることを特徴とする不織布製布団カバー。
【請求項４】
中央に位置する中央長方形部分と、中央長方形部分の短辺の一方から外方に向ってその短辺に平行に延長して形成された天地長方形又は台形部分と、中央長方形部分の二つの長辺各々から外方に向ってその長辺に平行に延長して形成された二つの横長方形又は台形部分とを備える不織布製布団カバーであって、１）天地長方形又は台形部分の左右部に、又は、２）横長方形又は台形部分それぞれの上端部に、粘着部分が形成されており、前記不織布は、坪量が１０ｇ／ｍ２乃至８０ｇ／ｍ２のものであることを特徴とする不織布製布団カバー。
【請求項５】
中央に位置する中央長方形部分と、中央長方形部分の各辺から外方に向って各辺に平行に延長して形成された上長方形又は台形部分、下長方形又は台形部分及び二つの横長方形又は台形部分とを備える不織布製布団カバーであって、布団カバーの一方の面の上長方形又は台形部分及び下長方形又は台形部分のそれぞれの左右両端部と、布団カバーの他方の面の横長方形又は台形部分それぞれの上端部及び下端部に、面ファスナー部分が形成されており、前記不織布は、坪量が１０ｇ／ｍ２乃至８０ｇ／ｍ２のものであることを特徴とする不織布製布団カバー。
【請求項６】
中央に位置する中央長方形部分と、中央長方形部分の短辺の一方から外方に向ってその短辺に平行に延長して形成された天地長方形又は台形部分と、中央長方形部分の二つの長辺各々から外方に向ってその長辺に平行に延長して形成された二つの横長方形又は台形部分とを備える不織布製布団カバーであって、布団カバーの一方の面の天地長方形又は台形部分の左右両端部と、布団カバーの他方の面の横長方形又は台形部分それぞれの上端部に、面ファスナー部分が形成されており、前記不織布は、坪量が１０ｇ／ｍ２乃至８０ｇ／ｍ２のものであることを特徴とする不織布製布団カバー。
【請求項７】
上長方形又は台形部分、下長方形又は台形部分、天地長方形又は台形部分において、中央長方形部分から外方への延長距離が１０乃至５０ｃｍであり、且つ、横長方形又は台形部分において、中央長方形部分から外方への延長距離が５乃至４０ｃｍである、請求項３乃至６のいずれか１項に記載の不織布製布団カバー。
【請求項８】
不織布が、綿、ポリエステル繊維、ポリエチレン繊維、ポリプロピレン繊維、ポリアミド繊維、再生セルロース繊維、ポリビニルアルコール繊維及びアクリル繊維からなる群から選択される一種以上の繊維の不織布である、請求項１乃至７のいずれか１項に記載の不織布製布団カバー。
【請求項９】
親水性不織布層と疎水性不織布層とが張り合わされてなる、請求項１乃至７のいずれか１項に記載の不織布製布団カバー。
【発明の詳細な説明】
【技術分野】
【０００１】
本発明は、脱着が容易であり、使用中は外れ難く、持ち運びに便利であり、且つ経済的な不織布製布団カバーに関する。
【背景技術】
【０００２】
一般の家庭において、泊りがけの来客がある場合、従来は買い置きの布団カバーを使用している。しかし、従来の布団カバーは、常時使用することを前提として外れ難く作られているため、その脱着は必ずしも容易であるとはいえないものである。また、使用後には、洗濯、糊付け及びアイロン掛けをする必要があり、手間がかかる。一方、これらの手間を省くためにクリーニングに出すと、それなりの出費となる。
【０００３】
ところで、特許文献１の請求項１には、布団の上下又は左右の端部をそれぞれ挿入する装着ポケットを２個有する布団カバーが開示されている。また、その請求項７には、前記布団カバーを構成するシートが合成繊維の不織布で構成されている態様が開示されている。さらに、請求項１０や段落番号０００１等には、この布団カバーが使い捨て用として用いられる旨の記載もある。
【０００４】
特許文献１の請求項１８には、布団の上下又は左右のいずれかの端部を挿入する装着ポケットを１個有し、装着ポケットに対して反対側の端部は布団の裏側に折り畳まれて用いられる敷き布団用布団カバーが開示されている。
【０００５】
特許文献１に開示されている布団カバーは、略長方形の布団の四辺の中、一辺又は相対する二辺に対応する部分にのみ装着ポケットを有するものである。
【０００６】
【特許文献１】実用新案登録番号第３０５５１２１号公報
【発明の開示】
【発明が解決しようとする課題】
【０００７】
本発明の目的は、例えば来客用として用いるための、脱着が容易であり、使用中は外れ難く、持ち運びに便利であり、且つ経済的な布団カバーを提供することにある。
【課題を解決するための手段】
【０００８】
本発明者らは、上記課題を解決すべく鋭意検討し、本発明を完成した。
【０００９】
第一の発明は、二層からなる長方形の不織布製布団カバーであって、当該二層は長方形の四辺で接触しており、一方の層は全面シートで構成されており、且つ、他方の層は、当該全面シートの外周部上に位置し、全面シートと共に、布団の左右端部を挿入するための５乃至４０ｃｍ幅の二つの横ポケットを構成する部分、布団の上端部を挿入するための１０乃至５０ｃｍ幅の上ポケットを構成する部分及び布団の下端部を挿入するための１０乃至５０ｃｍ幅の下ポケットを構成する部分を備えており、横ポケット各々は、上ポケット及び下ポケットと連通しており、前記不織布は、坪量が１０ｇ／ｍ２乃至８０ｇ／ｍ２のものであることを特徴とする不織布製布団カバーである。
【００１０】
第二の発明は、二層からなる長方形の不織布製布団カバーであって、当該二層は長方形の四辺の中、一つの短辺及び二つの長辺で接触しており、一方の面は全面シートで構成されており、且つ、他方の層は、当該全面シートの外周部上に位置し、全面シートと共に、布団の左右端部を挿入するための５乃至４０ｃｍ幅の二つの横ポケットを構成する部分と、布団の上端部又は下端部を挿入するための１０乃至５０ｃｍ幅の天地ポケットを構成する部分とを備えており、天地ポケットは、二つの横ポケットと連通しており、前記不織布は、坪量が１０ｇ／ｍ２乃至８０ｇ／ｍ２のものであることを特徴とする不織布製布団カバーである。
【００１１】
第三の発明は、中央に位置する中央長方形部分と、中央長方形部分の各辺から外方に向って各辺に平行に延長して形成された上長方形又は台形部分、下長方形又は台形部分及び二つの横長方形又は台形部分とを備える不織布製布団カバーであって、１）上長方形又は台形部分の左右部及び下長方形又は台形部分の左右部に、又は、２）横長方形又は台形部分それぞれの上端部及び下端部に、粘着部分が形成されており、前記不織布は、坪量が１０ｇ／ｍ２乃至８０ｇ／ｍ２のものであることを特徴とする不織布製布団カバーである。
【００１２】
第四の発明は、中央に位置する中央長方形部分と、中央長方形部分の短辺の一方から外方に向ってその短辺に平行に延長して形成された天地長方形又は台形部分と、中央長方形部分の二つの長辺各々から外方に向ってその長辺に平行に延長して形成された二つの横長方形又は台形部分とを備える不織布製布団カバーであって、１）天地長方形又は台形部分の左右部に、又は、２）横長方形又は台形部分それぞれの上端部に、粘着部分が形成されており、前記不織布は、坪量が１０ｇ／ｍ２乃至８０ｇ／ｍ２のものであることを特徴とする不織布製布団カバーである。
【００１３】
第五の発明は、中央に位置する中央長方形部分と、中央長方形部分の各辺から外方に向って各辺に平行に延長して形成された上長方形又は台形部分、下長方形又は台形部分及び二つの横長方形又は台形部分とを備える不織布製布団カバーであって、布団カバーの一方の面の上長方形又は台形部分及び下長方形又は台形部分のそれぞれの左右両端部と、布団カバーの他方の面の横長方形又は台形部分それぞれの上端部及び下端部に、面ファスナー部分が形成されており、前記不織布は、坪量が１０ｇ／ｍ２乃至８０ｇ／ｍ２のものであることを特徴とする不織布製布団カバーである。
【００１４】
第六の発明は、中央に位置する中央長方形部分と、中央長方形部分の短辺の一方から外方に向ってその短辺に平行に延長して形成された天地長方形又は台形部分と、中央長方形部分の二つの長辺各々から外方に向ってその長辺に平行に延長して形成された二つの横長方形又は台形部分とを備える不織布製布団カバーであって、布団カバーの一方の面の天地長方形又は台形部分の左右両端部と、布団カバーの他方の面の横長方形又は台形部分それぞれの上端部に、面ファスナー部分が形成されており、前記不織布は、坪量が１０ｇ／ｍ２乃至８０ｇ／ｍ２のものであることを特徴とする不織布製布団カバーである。
【００１５】
第三乃至第六の発明において、上長方形又は台形部分、下長方形又は台形部分、天地長方形又は台形部分は、中央長方形部分から外方への延長距離が１０乃至５０ｃｍであることが好ましく、且つ、横長方形又は台形部分は、中央長方形部分から外方への延長距離が５乃至４０ｃｍであることが好ましい。
【００１６】
本発明において、「長方形」という用語は、「正方形」を含む概念として使用されている。
【００１７】
不織布は、綿、ポリエステル繊維、ポリエチレン繊維、ポリプロピレン繊維、ポリアミド繊維、再生セルロース繊維、ポリビニルアルコール繊維及びアクリル繊維からなる群から選択される一種以上の繊維の不織布であることが好ましい。
【００１８】
不織布層又はシートとして、親水性不織布層と疎水性不織布層とが張り合わされてなるものを用いることもできる。
【発明の効果】
【００１９】
本発明の布団カバーは、脱着が容易である。
【００２０】
本発明の布団カバーは、略長方形の布団の四辺の中、三辺又は四辺部分を挿入するポケットを有するため、使用中は外れ難い。
【００２１】
本発明の布団カバーは、不織布製であるために、非常に軽量（従来の布団カバーの１／３乃至１／６）であり、且つ、小さく折り畳んで携帯することができる。また、この布団カバーの製造時に縫製加工を行う場合であっても、糸ほつれがないため、縫い仕上げ（縫い代の仕上げ加工）の必要がない。従って、加工コストが小さい。
【００２２】
粘着剤又は面ファスナーによってポケットを形成する態様の布団カバーについては、装着がさらに容易である。
【００２３】
三つのポケットを有する態様の布団カバーや、粘着剤又は面ファスナーによってポケットを形成する態様の布団カバーの場合には、布団の長さ、幅、厚みの相違に応じて、ポケット部の幅（ポケットの深さ）を調整できるという効果もある。
【００２４】
素材として、親水性不織布又は親水性不織布と疎水性不織布との混合物を用いた場合には、吸汗性に優れる。
【００２５】
また、親水性不織布層と疎水性不織布層とが張り合わされた態様の場合には、吸汗性に優れるのみならず、布団が湿ったり汚れたりし難いという効果も得られる。
【発明を実施するための最良の形態】
【００２６】
図１は、第一の発明の布団カバーの一例を示す平面模式図である。同図中、（Ａ）は裏面の平面図、（Ｂ）は表面（布団を挿入する面）の平面図である。
【００２７】
布団カバー１００は、一方の層である長方形の全面シート１と、その全面シート１の表面の外周部上に形成された、上ポケット構成部分３、下ポケット構成部分４及び二つの横ポケット構成部分７ａ，７ｂからなる他方の層の二層で構成されている。他方の層の上ポケット構成部分３は、全面シート１の辺ｘ１を介して全面シート１に繋がっており、下ポケット構成部分４は、全面シート１の辺ｘ２を介して全面シート１に繋がっており、二つの横ポケット構成部分７ａ，７ｂは、それぞれ、全面シート１の辺ｙ１，ｙ２を介して全面シート１に繋がっている。
【００２８】
本明細書において、「繋がっている」とは、離れていないことを意味し、繋がり方は限定されない。例えば、全面シート１と上ポケット構成部分３とが辺ｘ１を共有していること（上ポケット構成部分３が全面シート１を延長して作製されていること）や、全面シート１の辺ｘ１付近で、全面シート１に上ポケット構成部分３が接着され又は縫付けられていること等をいう。
【００２９】
布団カバー１００において、他方の層は、額縁の形状である。一方の層の表面の外周部と他方の層によって構成される上ポケット、下ポケット及び二つの横ポケットは、全て連通している。即ち、横ポケット各々は、上ポケット及び下ポケットと連通している。
【００３０】
他方の層の上ポケット構成部分３と横ポケット構成部分７ａ，７ｂ、下ポケット構成部分４と横ポケット構成部分７ａ，７ｂとは、縫製によって接合されている。なお、これらの接合は、例えば、不織布同士の熱融着、接着剤等による接着によっても達成される。
【００３１】
また、上ポケット構成部分３と横ポケット構成部分７ａ，７ｂの各々との接合部付近では、上ポケット構成部分３と横ポケット構成部分７ａとが、そして上ポケット構成部分３と横ポケット構成部分７ｂとが、互いに重なり合っていてもよい。これは、下ポケット構成部分４と横ポケット構成部分７ａ，７ｂの各々との接合部付近においても同様である。
【００３２】
上ポケット及び下ポケットの幅（即ち、深さ）ｌは、１０乃至５０ｃｍ（好ましくは２０乃至４０ｃｍ、さらに好ましくは２５乃至３５ｃｍ）であり、横ポケットの幅（即ち、深さ）ｗは、５乃至４０ｃｍ（好ましくは１０乃至３０ｃｍ、さらに好ましくは１５乃至２０ｃｍ）である。このような幅とすると、布団の着脱が容易で、且つ、使用時にはずれ難い。なお、上ポケットの幅と下ポケットの幅は、同じであっても異なっていてもよい。
【００３３】
布団カバー１００の素材は、坪量（「目付量」ともいう）が１０ｇ／ｍ２乃至８０ｇ／ｍ２（好ましくは１５乃至６０ｇ／ｍ２、さらに好ましくは２０乃至４０ｇ／ｍ２）の不織布である。このような坪量の不織布を用いると、汗が浸透せず、よって布団が汚れずに清潔さが維持される。
【００３４】
不織布は、例えば、綿、ポリエステル繊維、ポリエチレン繊維、ポリプロピレン繊維、ナイロン等のポリアミド繊維、レーヨン等の再生セルロース繊維、ビニロン等のポリビニルアルコール繊維及びアクリル繊維からなる群から選択される一種以上の繊維の不織布である。中でも、価格等の点から、ポリエステル繊維、ポリプロピレン繊維が好ましい。また、やわらかい風合いの不織布を用いることも好ましい。
【００３５】
不織布の原料たる繊維は、一種のみを使用しても、二種以上を使用してもよい。二種以上を種々の割合で混合して使用することにより、様々な風合いや吸汗性能を有する不織布を製造することが可能である。
【００３６】
また、不織布は、スパンレース不織布、スパンボンド不織布、メルトブロー不織布等のいずれであってもよいが、スパンボンド不織布が好ましい。
【００３７】
一方の層及び他方の層の一方又は両方が、親水性不織布層と疎水性不織布層とが張り合わされてなるものであってもよい。
【００３８】
ここで、親水性不織布とは、親水性繊維、親水性成分を含む繊維、親水化処理を施した繊維等で形成された不織布である。親水性繊維として、レーヨン、キュプラ等のセルロース繊維、ビニロン等のポリビニルアルコール繊維、セルロースアセテート繊維、アクリル繊維を加工してなる高吸水性繊維等が挙げられる。また、親水化処理の一例として、界面活性剤等の親水性成分の塗布又は含浸が挙げられる。
【００３９】
疎水性不織布とは、疎水性成分を含む繊維、疎水化処理を施した繊維等で形成された不織布である。疎水性繊維として、ポリエステル繊維、ナイロン等のポリアミド繊維、アクリル繊維等が挙げられる。また、疎水化処理の一例として、シリコーン等の疎水性成分の塗布又は含浸が挙げられる。
【００４０】
布団カバー１００の使用時には、上ポケットに布団の上端部を、下ポケットに布団の下端部を、そして横ポケット各々に布団の左右端部を挿入する。
【００４１】
図２は、第二の発明の布団カバーの一例を示す平面模式図である。同図中、（Ａ）は裏面の平面図、（Ｂ）は表面（布団を挿入する面）の平面図である。
【００４２】
布団カバー２００は、一方の層である長方形の全面シート１と、その全面シート１の表面の外周部上（但し、長方形の二つの短辺の中の一方付近を除く）に形成された、天地ポケット構成部分５及び二つの横ポケット構成部分７ａ，７ｂからなる他方の層の二層で構成されている。他方の層の天地ポケット構成部分５は、全面シート１の辺ｘを介して全面シート１に繋がっており、二つの横ポケット構成部分７ａ，７ｂは、それぞれ、全面シート１の辺ｙ１、ｙ２を介して全面シート１に繋がっている。
【００４３】
布団カバー２００において、他方の層は、額縁の四つの縁の中、一つが欠けた形状である。一方の層の表面の外周部と他方の層によって構成される天地ポケットは、二つの横ポケットに連通している。
【００４４】
他方の層の天地ポケット構成部分５と横ポケット構成部分７ａ，７ｂとは、図２（Ｂ）中ｔで示される個所が縫製されて接合されている。なお、これらの接合は、例えば、不織布同士の熱融着、接着剤等による接着によっても達成される。
【００４５】
また、図２（Ｂ）に示された例のように、天地ポケット構成部分５と横ポケット構成部分７ａ，７ｂの各々との接合部付近では、天地ポケット構成部分５と横ポケット構成部分７ａとが、そして天地ポケット構成部分５と横ポケット構成部分７ｂとが、互いに重なり合っていてもよい。
【００４６】
天地ポケットの幅（即ち、深さ）ｌは、１０乃至５０ｃｍ（好ましくは２０乃至４０ｃｍ、さらに好ましくは２５乃至３５ｃｍ）であり、横ポケットの幅（即ち、深さ）ｗは、５乃至４０ｃｍ（好ましくは１０乃至３０ｃｍ、さらに好ましくは１５乃至２０ｃｍ）である。このような幅とすると、布団の着脱が容易で、且つ、使用時に外れ難い。
【００４７】
布団カバー２００の素材については、第一の発明に関する説明に記載したとおりである。
【００４８】
布団カバー２００の使用時には、天地ポケットに布団の上端部又は下端部を、そして横ポケット各々に布団の左右端部を挿入する。ポケット状となっていない部分は、布団の裏又は表側に折り返してもよいし、あるいはそのままでもよい。
【００４９】
図３は、第三の発明の布団カバーの一例を示す平面模式図である。
【００５０】
布団カバー３１０は、中央に位置する中央長方形部分１１と、その各辺から外方に向って各辺に平行に延長して形成された上長方形部分１３、下長方形部分１４及び二つの横長方形部分１７ａ，１７ｂとから構成されている。また、上長方形部分１３の左右部（より詳細には左右上端部）と、下長方形部分１４の左右部（より詳細には左右下端部）には、両面粘着テープｖが貼り付けられている。
【００５１】
ここで、上長方形部分１３の「左部」とは、左上端部に限定されず、おおよそ、図３において円ｒで示した範囲をいう。「右部」も同様である。
【００５２】
第三の発明の布団カバーにおいて、「粘着部分」は、両面粘着テープｖを使用することにより容易に形成されるが、これに限定されるわけではない。例えば、粘着剤を塗布してその表面を被覆材で覆い、粘着部分としてもよい。
【００５３】
また、「粘着部分」の形状は、図３に示すような横一文字に限定されず、例えば、図７に示すような縦長の形状であってもよく、また、左部及び右部にそれぞれ２個所以上の粘着部分が形成されていてもよい。
【００５４】
図４は、布団カバー３１０の使用時（但し、布団を挿入する前）の状況を示す平面模式図である。
【００５５】
布団カバー３１０は、上長方形部分１３、下長方形部分１４及び二つの横長方形部分１７ａ，１７ｂを、それぞれ、中央長方形部分１１の辺ｘ１、辺ｘ２、辺ｙ１及び辺ｙ２で折返し、粘着テープｖの粘着剤によって上長方形部分１３を横長方形部分１７ａ及び１７ｂに、下長方形部分１４を横長方形部分１７ａ及び１７ｂに接着させると、図４に示す第一の発明の布団カバーの一例となる。
【００５６】
上長方形部分１３を折返して作った上ポケット、下長方形部分１４を折返して作った下ポケット及び横長方形部分１７ａ，１７ｂを折返して作った横ポケットの幅（深さ）については、第一の発明に関する説明に記載したとおりである。
【００５７】
なお、上長方形部分１３、下長方形部分１４及び二つの横長方形部分１７ａ、１７ｂは、それぞれ、中央長方形部分１１の辺ｘ１、辺ｘ２、辺ｙ１及び辺ｙ２で折返さなくともよい。例えば、布団カバー３１０で被う布団の長さが若干大きい場合には、上長方形部分１３の辺ｘ１と辺ｘ３との間の長さｌの１／２よりも辺ｘ１に近い部分であれば、いずれの個所で折返してもよい。これは、下長方形部分１４についても同様である。また、布団カバー３１０で被う布団の幅が若干大きい場合には、横長方形部分１７ａの辺ｙ１と辺ｙ３との間の長さｗの１／２よりも辺ｙ１に近い部分であれば、いずれの個所で折返してもよい。これは、横長方形部分１７ｂについても同様である。
【００５８】
布団カバー３１０の素材についても、第一の発明に関する説明に記載したとおりである。
【００５９】
布団カバー３１０の使用時には、例えば図４に示すような第一の発明の布団カバーを作り、それに布団を挿入してもよいし、あるいは、布団カバー３１０の中央長方形部分１１に布団を載せ、次いで横長方形部分１７ａ，１７ｂを布団の上に折返し、さらに、上長方形部分１３と下長方形部分１４を布団の上に折返すと共に、両面粘着テープｖの被覆材を剥がして、上長方形部分１３を横長方形部分１７ａ及び１７ｂに、下長方形部分１４を横長方形部分１７ａ及び１７ｂに接着させてもよい。
【００６０】
図５は、第三の発明の布団カバーの他の一例を示す平面模式図である。
【００６１】
布団カバー３２０は、中央に位置する中央長方形部分１１と、その各辺から外方に向って各辺に平行に延長して形成された上台形部分１３、下台形部分１４及び二つの横長方形部分１７ａ、１７ｂとから構成されている。また、横長方形部分１７ａ，１７ｂそれぞれの上端部及び下端部（より詳細には、横長方形部分１７ａの左上端部及び左下端部と、横長方形部分１７ｂの右上端部及び右下端部）には、両面粘着テープｖが貼り付けられている。
【００６２】
ここで、横長方形部分１７ａの「上端部」とは、左上端部に限定されず、おおよそ、図５において円ｓで示した範囲をいう。「下端部」についても同様である。
【００６３】
「粘着部分」の形状は、図５に示すような縦長形状に限定されず、例えば、図８に示すような横一文字の形状であってもよく、また、上端部及び下端部にそれぞれ２個所以上の粘着部分が形成されていてもよい。
【００６４】
図６は、布団カバー３２０の使用時（但し、布団を挿入する前）の状況を示す平面模式図である。
【００６５】
布団カバー３２０は、上台形部分１３、下台形部分１４及び二つの横長方形部分１７ａ、１７ｂを、それぞれ、中央長方形部分１１の辺ｘ１、辺ｘ２、辺ｙ１及び辺ｙ２で折返し、粘着テープｖの粘着剤によって、横長方形部分１７ａを上台形部分１３及び下台形部分１４に、また、横長方形部分１７ｂを上台形部分１３及び下台形部分１４に接着させると、第一の発明の布団カバーの一例となる。
【００６６】
上台形部分１３を折返して作った上ポケット、下台形部分１４を折返して作った下ポケット及び横長方形部分１７ａ，１７ｂを折返して作った横ポケットの幅（深さ）については、第一の発明に関する説明に記載したとおりである。
【００６７】
なお、布団カバー３１０と同様に、布団カバー３２０に関しても、上台形部分１３、下台形部分１４及び二つの横長方形部分１７ａ，１７ｂは、それぞれ、中央長方形部分１１の辺ｘ１、辺ｘ２、辺ｙ１及び辺ｙ２で折返さなくともよい。
【００６８】
布団カバー３２０の素材についても、第一の発明に関する説明に記載したとおりである。
【００６９】
第三の発明において、「上長方形又は台形部分」、「下長方形又は台形部分」及び「横長方形又は台形部分」は、それぞれ、長方形であっても台形であってもよい。台形は、図５に示すようなｘ１＞ｘ３のものに限定されず、ｘ３＞ｘ１の台形であってもよい。例えば、図３における上長方形部分１３がｘ３＞ｘ１の台形である場合、その台形の辺ｙ１，ｙ２よりも外側に位置する部分は、辺ｙ１，ｙ２の一部を包むように全面シート１１の裏側に折返して、全面シート１１の裏側に接着すればよい。また、長方形と台形との組合せ方も、特に限定されない。
【００７０】
第四の発明の布団カバーは、例えば、図３に示される布団カバー３１０において、下長方形部分１４がないもの（但し、中央長方形部分１１及び横長方形部分１７ａ，１７ｂの長辺の長さは、下長方形部分１４が構成する下ポケットの深さ相当分だけ長い）、図５に示される布団カバー３２０において、下台形部分１４及び横長方形部分１７ａ、１７ｂの下端部の粘着部分がないもの（但し、中央長方形部分１１及び横長方形部分１７ａ、１７ｂの長辺の長さは、下台形部分１４が構成する下ポケットの深さ相当分だけ長い）に相当する。また、第四の発明の布団カバーでは、図３や図５に示される布団カバーの「上長方形又は台形部分」が「天地長方形又は台形部分」と呼称される。
【００７１】
このような第四の発明の布団カバーの天地長方形又は台形部分及び横長方形又は台形部分を、それぞれ中央長方形部分の各辺で折返し、粘着部分で接着を行うと、第二の発明の布団カバーの一例となる。第三の発明同様、折返しは、中央長方形部分の各辺よりも外側（即ち、天地長方形又は台形部分の中の適切な個所、横長方形又は台形部分の中の適切な個所）で行ってもよい。
【００７２】
第四の発明の布団カバーの使用の際には、例えば第二の発明の布団カバーを作り、それに布団を挿入してもよいし、あるいは、第四の発明の布団カバーの中央長方形部分に布団を載せ、次いで天地長方形又は台形部分と横長方形又は台形部分を布団の上に折返し、両面粘着テープｖの被覆材を剥がして所定個所を接着させてもよい。ポケット状となっていない部分は、布団の裏又は表側に折り返してもよいし、あるいはそのままでもよい。
【００７３】
図９は、第五の発明の布団カバーの一例を示す平面模式図である。図９（Ａ）は、布団に接触する方の面を、図９（Ｂ）は、人に接触する方の面を示している。
【００７４】
布団カバー５００は、中央に位置する中央長方形部分２１と、その各辺から外方に向って各辺に平行に延長して形成された上長方形部分２３、下長方形部分２４及び二つの横長方形部分２７ａ，２７ｂとから構成されている。
【００７５】
また、布団に接触する方の面の上長方形部分２３の左右部（より詳細には左右上端部）と下長方形部分２４の左右部には、面ファスナーｆが縫着されている。一方、人に接触する方の面に関しては、横長方形部分２７ａ，２７ｂそれぞれの上端部及び下端部に、面ファスナーｆが縫着されている。
【００７６】
なお、上長方形部分２３、下長方形部分２４及び二つの横長方形部分２７ａ，２７ｂは、それぞれ、台形であってもよい。これらの部分が台形である場合については、第三の発明に関する説明中、台形に関する記載を参照されたい。
【００７７】
「面ファスナー部分」の形状は、図９に示すものに限定されるわけではない。
【００７８】
図１０は、布団カバー５００の横長方形部分２７ａ，２７ｂを、それぞれ辺ｙ１，ｙ２で折返した状態を示す平面模式図、図１１は、さらに、上長方形部分２３を辺ｘ１で、下長方形部分２４を辺ｘ２と辺ｘ４との間の個所にて折返した状態を示す平面模式図である。図１１は、布団カバー５００の使用時（但し、布団を挿入する前）の状況の一例を示す平面模式図でもある。
【００７９】
上長方形部分２３に縫着された面ファスナーｆ１は、横長方形部分２７ａに縫着された面ファスナーｆ４と接合される。また、下長方形部分２４に縫着された面ファスナーｆ２，ｆ３は、それぞれ、横長方形部分２７ｂに縫着された面ファスナーｆ５，ｆ６と接合される。但し、面ファスナーｆ２とｆ５との接合、面ファスナーｆ３とｆ６との接合は、面ファスナーの長さ方向において、部分的にのみなされている。これにより、図１１に示す状態となっているのである。
【００８０】
勿論、面ファスナーｆ２とｆ５との接合、面ファスナーｆ３とｆ６との接合は、面ファスナーの長さ方向全体にわたってなされていてもよい。この場合には、面ファスナー同士の接合により、第一の発明の布団カバーの一例が得られる。
【００８１】
面ファスナー同士の接合を部分的又は全体的に行うことにより、布団カバー５００の使用時の長さを、布団の長さに合わせることができる。面ファスナーの縫着方法によっては、第五の発明の布団カバーの使用時の幅も、布団の幅に合わせることができる。
【００８２】
なお、上長方形部分２３を折返して作った上ポケット、下長方形部分２４を折返して作った下ポケット及び横長方形部分２７ａ，２７ｂを折返して作った横ポケットの幅（深さ）については、第一の発明に関する説明に記載したとおりである。
【００８３】
また、布団カバー５００の素材についても、第一の発明に関する説明に記載したとおりである。
【００８４】
布団カバー５００の使用時には、例えば図１１に示すような第一の発明の布団カバーを作り、それに布団を挿入してもよいし、あるいは、布団カバー５００の中央長方形部分２１に布団を載せ、次いで横長方形部分２７ａ，２７ｂを布団の上に折返し、さらに、上長方形部分２３と下長方形部分２４を布団の上に折返すと共に、面ファスナーｆ同士を接合させてもよい。
【００８５】
なお、面ファスナーとは、マジックテープ、フリーマジック、マジロック、モールドインファスナー、マジックハード、マルチロック（いずれもクラレ株式会社の登録商標）等の、ループやフックが係合してくっつくタイプのファスナーをいう。
【００８６】
第六の発明の布団カバーは、例えば、図９に示される布団カバー５００において、上長方形部分２３又は下長方形部分２４がないもの（但し、中央長方形部分２１及び横長方形部分２７ａ、２７ｂの長辺の長さは、図９に示されたものよりも長い）に相当する。また、第六の発明の布団カバーでは、図９に示される布団カバーの「上長方形又は台形部分」が「天地長方形又は台形部分」と呼称される。
【００８７】
このような第六の発明の布団カバーの天地長方形又は台形部分及び横長方形又は台形部分を、それぞれ中央長方形部分の各辺で折返し、面ファスナー部分で接合を行うと、第二の発明の布団カバーの一例となる。第五の発明同様、折返しは、中央長方形部分の各辺よりも外側で行ってもよい。
【００８８】
第六の発明の布団カバーの使用の際には、第二の発明の布団カバーを作り、それに布団を挿入してもよいし、あるいは、第六の発明の布団カバーの中央長方形部分に布団を載せ、次いで天地長方形又は台形部分と横長方形又は台形部分を布団の上に折返し、面ファスナー部分で接合を行ってもよい。ポケット状となっていない部分は、布団の裏又は表側に折り返してもよいし、あるいはそのままでもよい。
【００８９】
図１２（Ａ）は、本発明の布団カバー１００で敷布団３０を被った状態の一例を示す断面模式図である。また、図１２（Ｂ）は、本発明の布団カバー１００で掛布団４０を被った状態の一例を示す断面模式図である。これらの図において、幅方向は、いずれも、布団の幅方向を示す。即ち、これらの図は、布団の左右両側が、本発明の布団カバーによって被われていることを示している。
【００９０】
本発明において、「布団」とは、掛布団、敷布団、マットレス、ベッドパッド等をいう。また、「布団カバー」には、掛布団カバー、敷布団カバー、シーツ等が包含される。
【００９１】
例えばダブルサイズ布団用カバーの場合には、中心長方形部分の長辺と短辺とが入れ替わってもよい。
【００９２】
本発明の布団カバーは、一般的には一回の使用後に廃棄されるものであるが、洗濯をして複数回使用することも可能である。
【実施例１】
【００９３】
パネラー３人に、図１に示す本発明の布団カバー１００（以下、「布団カバーａ」という）と図１３示す比較例の布団カバー７００（以下、「布団カバーｂ」）とを、敷布団に装着して使用させ、装着のし易さ、脱離のし易さ及び一晩使用した際の布団のはみ出しの有無について評価させた。
【００９４】
布団カバー（ｂ）は、四隅（図１３においてｔで示される個所）が縫製されて上ポケットと下ポケットとが形成されている。
【００９５】
布団カバー（ａ）、（ｂ）共に、上ポケットと下ポケットの深さｌは２５ｃｍとし、また、布団カバー（ａ）の横ポケットの深さｗと、布団カバー（ｂ）の側部折込部の幅ｚは、いずれも１５ｃｍとした。素材は、いずれも、中国山東省莱州無織布厂製ポリプロピレン繊維スパンボンド不織布（坪量：３０ｇ／ｍ２）とした。
【００９６】
なお、比較例の布団カバーの使用の際には、当該カバーの左右端部は、敷布団の裏側に折込んだ。
【００９７】
結果を表１に示す。
【００９８】
【表１】
2005110890.tif 000003
【００９９】
表１から明らかなように、本発明の布団カバー（ａ）は、比較例の布団カバー（ｂ）よりも、敷布団への装着が容易であった。これは、両側部を敷布団の下に折込む必要がないためであると考えられる。また、本発明の布団カバー（ａ）は、比較例の布団カバー（ｂ）と同等の脱離容易性を示した。使用時の布団のはみ出しに関しては、比較例の布団カバー（ｂ）を用いた場合には、布団カバーの両側部において、敷布団の下に折込んでいた部分が出てきてしまった例があるが、本発明の布団カバー（ａ）を用いた場合には、そのような不都合は全く生じなかった。
【図面の簡単な説明】
【０１００】
【図１】本発明の布団カバーの一例を示す平面模式図である。
【図２】本発明の布団カバーの他の例を示す平面模式図である。
【図３】本発明の布団カバーのさらに他の例を示す平面模式図である。
【図４】図３の布団カバーの使用時の状態を示す平面模式図である。
【図５】本発明の布団カバーのさらに他の例を示す平面模式図である。
【図６】図５の布団カバーの使用時の状態を示す平面模式図である。
【図７】図３の布団カバーにおける粘着部分の変形例を示す部分平面模式図である。
【図８】図５の布団カバーにおける粘着部分の変形例を示す部分平面模式図である。
【図９】本発明の布団カバーのさらに他の例を示す平面模式図である。
【図１０】図９の布団カバーの横長方形部分を折返した状態を示す平面模式図である。
【図１１】図９の布団カバーの使用時の状態を示す平面模式図である。
【図１２】本発明の布団カバーを布団に被せた状態を示す断面模式図である。
【図１３】実施例１で使用した比較例の布団カバーを示す平面模式図である。
【符号の説明】
【０１０１】
１  一方の層（全面シート）
３  他方の層の上ポケット構成部分
４  他方の層の下ポケット構成部分
５  他方の層の天地ポケット構成部分
７ａ，７ｂ  他方の層の横ポケット構成部分
１１，２１  中央長方形部分
１３，２３  上長方形（又は台形）部分
１４，２４  下長方形（又は台形）部分
１７ａ，１７ｂ，２７ａ，２７ｂ  横長方形部分
３０  敷布団
４０  掛布団
１００，２００，３１０，３２０，５００，７００  布団カバー
【図１】
2005110890.tif 000004
【図２】
2005110890.tif 000005
【図３】
2005110890.tif 000006
【図４】
2005110890.tif 000007
【図５】
2005110890.tif 000008
【図６】
2005110890.tif 000009
【図７】
2005110890.tif 000010
【図８】
2005110890.tif 000011
【図９】
2005110890.tif 000012
【図１０】
2005110890.tif 000013
【図１１】
2005110890.tif 000014
【図１２】
2005110890.tif 000015
【図１３】
2005110890.tif 000016